(57)【要約】      （修正有）【課題】葬儀の際は額の中に入れて祭壇に備え、葬儀後は額から外し家族の元にお渡しし、家庭にて仏壇などに安置保管し、またその後の法要などに活用でき、必要に応じてスタンド型に立てたり新たな額に入れたり、収納と保管、アナウンスやコマーシャルに活用できる写真台紙を提供する。【解決手段】写真７を収納する写真台紙であって、表面と裏面とを備え、表面に写真７を貼付する下台紙、第１面１、第２面２、第３面３、第４面４を備え、第１面１を下台紙と裏面を接着し、第１面１、第２面２、第３面３、第４面４の各面の境で折れ曲がる表紙と、を備え、写真が電子データを有したコードを画像として埋め込むコード埋め込み画像を備えることを特徴とするメッセージ写真台紙。【選択図】図３（ａ）
2020185783.tif 000002
【特許請求の範囲】
【請求項１】
電子データを有したコードを画像として埋め込むコード埋め込み画像を備える前記第１台紙の前記表面から前記電子データを取り出す写真を収納する写真台紙であって、
表面と裏面とを備え、前記表面に写真を貼付する第１台紙と、
第１面、第２面、第３面、第４面を備え、前記第１面を前記第１台紙の前記裏面と接着し、前記第１面、第２面、第３面、第４面の各面の境で折れ曲がる第２台紙とを備えたことを特徴とするメッセージ写真台紙。
【請求項２】
請求項１記載の写真台紙において、前記第１台紙の表面の面積と、前記第２台紙の前記第１面と第２面との合計面積とがほぼ一致することを特徴とする写真台紙。
【請求項３】
請求項１記載のメッセージ写真台紙において前記第２台紙を二つ折りにし、前記第１台紙と共に額にはめ込み、葬儀用枠とする写真台紙。
【請求項４】
請求項１記載の写真台紙において、額から外し、前記写真又はメーセージを前記コード埋め込み画像に変更なく保管することの出来る写真台紙。
【請求項５】
写真、カード、印刷物を収納載せる第１台紙（５）と第１〜第４の領域を有し、前記第１〜第４の各領域の境において自在に折れ曲がる第２台紙（１〜４）を備え、前記第１台紙（５）の端部と前記第２台紙の前記第１の領域（１）とを貼付した台紙であって、前記第１領域（１）の端に前記第１台紙（５）として紙またはプラスチックの素材を備え、この第１台紙（５）のサイズは第２領域（２）のサイズの範囲内であり、この第１台紙（５）は第一領域（１）のみで接着し、この第１台紙（５）に一つ又は二つ以上の枠をくり抜いた中枠を配置し、前記中枠の一つから電子データを読み取ることを特徴とする台紙。
【請求項６】
電子データの始点を示す始点記号と、折り返しを示す第１の折り返し記号と、折り返しを示す第２の折り返し記号と、終点を示す終点記号とを備え、前記始点記号と前記終点記号とを互いに相対する位置に配置し、前記第１の折り返し記号と前期第２の折り返し記号とを相対する位置に配置する電子データのコード画像部と、
前記電子データのコード画像部を囲む枠と、
前記枠を囲む単色部とを備え、
前記枠が単色であることを特徴とする印刷画面。
【請求項７】
請求項６記載の印刷画面において、このコードは写真の上に網目のような一丹ではよく見えないが、単色及び黒の背景は避けるようにする、又コードを読み取るのを確実にするために４角をはっきり確定させることを目的とする。印刷物に加工するとうっすらと黄色い網目模様のように見えるので、使う写真はこの前記枠が黄色であることを特徴とする印刷画面。
【請求項８】
請求項６記載の印刷画面において、前記電子データが動画メッセージ及び音声メッセージを備えたことを特徴とする印刷画面。
【請求項９】
請求項６記載の印刷画面において、前記印刷画面が切手及びシール表面に印刷されていることを特徴とする印刷画面。
【請求項１０】
電子データの始点を示す始点記号と、折り返しを示す第１の折り返し記号と、折り返しを示す第２の折り返し記号と、終点を示す終点記号とを備え、前記始点記号と前記終点記号とを互いに相対する位置に配置し、前記第１の折り返し記号と前期第２の折り返し記号とを相対する位置に配置する電子データのコード画像部と、
前記電子データのコード画像部を囲む枠とを備え、
前記枠が単色であることを特徴とする印刷画面。
【請求項１１】
請求項６記載の切手及びシール型印刷物において
その目的をワインボトル等の生産物に添付することにより
その商品の生産者等のメッセージを伝える事を目的とする。
【発明の詳細な説明】
【技術分野】  １アイテムで飾る保管再生再利用の用途を達する、実際葬儀等の儀式において不便さを体験した経験に基づき発案したものである。【０００１】  本発明は主に葬儀法要等の写真を貼り、メッセージや記録を残し伝える台紙であり、また葬儀法要等の終了後は保管し保護収納、必要時に取り出し再生可能なスタンド型にも形態が変化する写真台紙に関する。【０００２】  本発明のメッセージや記録を残し伝える技術は登録商標
【背景技術】  「ＦＰｃｏｄｅ」という名称の技術を株式会社富士通研究所が開発したもので、色や大きさによって人間の目の感度が違うという視覚特性を利用した、印刷画像に情報コードを埋め込む符号化技術と埋め込んだデータを高速・確実に読み取る復号化技術です。人間の目に見えにくい形で印刷画像に埋め込んだデータは、専用アプリケーションを搭載したカメラ付き携帯電話やスキャナで撮影することで、高速・確実に読み取ることができます。
【先行技術文献】
【特許文献】
【０００３】
【特許文献１】特許第６１６８７４７号公報  従来のスタンド兼用アルバムは写真を添付する台紙の表裏面を連続したカバー紙により覆い、その裏面カバー紙を上記台紙の表面側へスタンド用の三角状枠部として折り曲げるようにされたアルバムにおいて、上記枠部の底面となる部片にその三角頂辺と平行にする少なくとも１本の折曲線を付してなる、該アルバムをスタンドといた状態で上記枠部底面に略山形状の無逃げ凹部を形成するようにして成る。
【発明の概要】
【発明が解決しようとする課題】  従来のスタンド兼用アルバムは写真やパンフレットなどコマーシャル素材をより伝えやすくするアレンジを加え、使用後の保管を助け、また再利用の繰り返しをスムーズに行いやすくする、ＡＩ技術の導入によりメッセージをより明確に伝えることが出来るように工夫出来なかった。
現状使用した写真は葬儀後家族に返却されるが額のままの返却の場合、重さと大きさと厚みで保管場所に困る場合が多く、また飾るのにも場所と手間がかかる封筒などに入れる場合も多いがどこかに挟み込み紛失したり傷つけたりする場がが多い。
現在世間などでは、葬儀後そのまま額に入れて家族の元に渡されるが、昨今の住宅事情や家族構成の都合上この額が負担になる、現在葬儀など遺影写真は生前に本人が用意する事に抵抗がなくなり、より自分らしさを求め、また感謝の気持ちを微笑みなどで伝えたいなど明るい前向きな気持ちで向き合う傾向にある。
【課題を解決するための手段】  本発明の第１の解決手段は、写真を収納する写真台紙であって、
表面と裏面とを備え、前記表面に写真を貼付する下台紙と、
第１面、第２面、第３面、第４面を備え、第１面を前記下台紙と裏面を接着し前記第１面、第２面、第３面、第４面の各面の境で折れ曲がる表紙と、を備える事を特徴とする。
本発明の第２の解決手段は、第１の解決手段の写真台紙において、前記した台紙の表面の面積と、前記第１面と第２面との合計面積とをほぼ一致させることを特徴とする。
［素材を保管飾るための台紙の設計に両方向の折り曲げや寸法の自由自在性をもたらし複数パターンのアレンジを可能にした］
【発明の効果】  このようにして、お気に入りの写真を通常は写真台紙として保管し、本人の葬儀の際には祭壇には立派な額縁にセット出来、葬儀後は家族に台紙のみを引き渡すことが出来る。写真に動画メッセージなどをコードとして使用することにより法要等で故人のメッセージ等を再生出来る。
台紙が自在に折れ曲がることにより、スタンドの様に立てたり（飾る）、額の中に収納出来たりして（セットアレンジ）、中に収めた内容物を必要とした場合に、その目的に適した状況にメッセージを伝えることができる（収納保管）ことによりさらにメッセージ性が増す。
こちらの台紙であれば写真を傷付けることなく保管しやすい。
また同様に写真を封筒や紙のケースで返却する場合もよくあるが、その場合においても同様の意義がある。
本棚仏壇横などに収納しやすく厚い紙で保護されているので傷つきにくい設置から保管までが簡単である。
初七日、４９日一周忌などの法要の際、お寺食事処に持ち込むのにも簡単でより故人を偲ぶ効果がある。
本当に使うときは本人が存在しないという状況でしかも後々まで残るアイテムである。
こうしたアイテムであるので写真やメッセージの選択にはかなり真剣に取り組みまた常に考え思考がかわることによって常にその時が来るまで変更を繰り返す。
大切に取り組み気持ちや考えの変わったときに保管のありかが解りやすく傷みにくく修正しやすくした安全な保管商品として発案した。
万が一の時、何時とは計り知れないつまり使用者が故人となった時、葬儀の主役となり故人使用者が望んだ感謝の気持ち伝えたい意志を伝えるという第一目的がスタートする。
葬儀の大小にかかわらず主役としての役目を終え家族のもとにその写真やメッセージが返される時も託された側に重みを伝える役目をはたし、また託された家族が保管しやすく安心して家庭にとどめておけるのは一番の供養である第二の目的がスタートする。
わが日本には彼岸周忌など折に触れて先祖を敬い供養する風習が脈々と根付いており、そのたびに個人の思い出など花を咲かせることで一族家族の癒しや結束また個人の生きた証の時が個人亡き後も度々繰り返されていく。
そういった場に幾度も使用されるのが第三の目的であり、やはり気持ちが伝わり扱いやすく安全に保管しておくと主旨が達成される。
本商品は遺影写真やメッセージなどどのように保管し伝えていけばより安心し安全か万が一の時慌ただしい中で一番遺影選びが困難であったという声をくみ取り発案した
また多穴枠などを利用した電子メーセージは商品のイメージを損なわずに組み込まれたコードを利用した特許を許諾したものを用いよりデザイン性を高めかつ動画メッセージを保存するという弊社独自の商品である。
さらに台紙としての広義の要素に紙・アクリルその他を接着でき葬儀社独自の備品に対応しサイズ素材によって立てて飾ったり、額に収めるなどのシチュエーションによりオーダーメイドとして付加価値を有する。
前もって用意した遺影写真をユーザーの好みの中枠に貼り写真台紙として保管し多穴枠に動画メッセージを残し、より個性がわかる写真として一緒に保管し、葬儀儀式の際こちらの写真をこの台紙のまま立て本葬に使用する。
または額にセットし、いずれも法要後家族にたたんで引き渡す、また動画メッセージを予め用意してある場合アプリを使用し、法要でメッセージを再生し、家族は必要な時に動画を再生し亡き故人を偲ぶ。
現在多くの葬祭場では  葬祭の準備の際  喪主にまず遺影写真の準備を先に伝えるが、多くはその選別に苦労し、悲しみにひたる時間もないのが現状であり、また選ばれた写真はおよそ故人の普段とは程遠いイメージが多く、家族のあいだでも意見がまとまらない。
【図面の簡単な説明】
【図１】本考案の実態形態に係るメッセージ写真台紙を示す展開図である。
【図２】図１に示すメッセージ写真台紙の正面図である。
【図３（ａ）】図１に示すメッセージ写真台紙をスタンド型へ組み立てる途中である。
【図３（ｂ）】図１に示すメッセージ写真台紙をスタンド型に組み立てた時のイメージである。
【図４（ａ）】図１に示すメッセージ写真台紙を額縁に収納するために畳む方法の過程をイメージで表した図である。
【図４（ｂ）】図１に示すメッセージ写真台紙を額縁に収納するために畳んだ状態を表した図である。
【図５（ａ）】図１に示すメッセージ写真台紙を既成の額縁８に裏側からセットする過程の図である。
【図５（ｂ）】図１に示すメッセージ写真台紙を額縁８の正面からの図である。
【図６】本考案のメッセード写真部分を拡大した図であり、切手及びシール型印刷物に利用した正面図である。
【図７】図６の切手及びシール型印刷物をワインボトルに利用した場合の全体の図である。
【発明を実施するための形態】
［図１］本発明の実態形態に係るメッセージ写真台紙を示す展開図である。
１は表紙の第１領域であり、２は表紙の第２領域であり、３は表紙の第３領域であり、４は表紙の第４領域である。
第１領域１と第２領域２とは、接合部において自在に折れ曲がり、第２領域２と第３領域との接合部において自在に折れ曲がり、第３領域３と第４領域４との接合部において自在に折れ曲がる。
第１領域１と第２領域の接合部に第４領域４を挟むとスタンドにすることが出来る。その場合第３領域３はスタンドの底部となる。
第３領域３と第４領域４を第６領域を第６領域側へ折り曲げることによりコンパクとに畳むことが出来る。
第１領域１と第２領域２の部分を第３領域３と第４領域４を後ろ側に持ってくると額に収納することが出来る。
第２領域（２）上では浮いたように見え接着はしない。
第２領域（２）までで折り曲げれば下台紙（５）の保存収納としての役割効果がある。
第４領域（４）の端を第２領域（２）に向かって折り曲げ浮いた状態の下台紙（５）の下に挟み込むと自立スタンド型のメッセージボードとして活用が可能となる。
［図２］において２０は電子データを要したコードの始点表し、２１は右上部折り返し点であり、２３は左側下部であり、２２は終点である。前記範囲全体にコードを符号化して埋め込んで使用する。  コードは符号化されたパターンを目視ではほとんど確認出来ない技術で画面全体に印刷し、スマートフォンのアプリでその画像を読み込んだ時、コードを自動で呼び出し、予め指定されたＵＲＬ等に移動して動画、音声データが再生できる。
［図３（ａ）］のうち表紙側１、２．３の部分を中枠側５，６，７の後ろ側に移動させる途中を表した。
図３の工程を経てスタンド型へと飾る図である。
［図３（ｂ）］図１に示すメッセージ写真台紙をスタンド型に飾ったときの全体図を表した。
［図４（ａ）］図１に示すメッセージ写真台紙の使用方法のうち表紙側１，２を表紙側３，４とを重ね合わせる過程を示す図である。
［図４（ｂ）］図１に示すメッセージ写真台紙の使用方法のうち表紙側１，２を表紙側３，４とを重ね合わせた時の図である。
［図５（ａ）］図１に示すメッセージ写真台紙を既成の額縁８に裏側からセットする過程の図で、１１はガラス面等で１０は額縁に予め付属されている写真を固定するためのヒンジ状のものである。
［図５（ｂ）］図１に示すメッセージ写真台紙を額縁８の正面からのみたときのイラスト図であり、既成額縁８の後ろ側からメッセージ写真台紙を取り付ける途中の図である。
［図６］本考案のメッセード写真部分を拡大した図であり、切手等に利用した正面図である。
１８の範囲の中に不可視性のコードを埋め込んであり、２１、２２，２３、２４の折り返しマークが入っており、その範囲を網目で表した図である。
［図７］図６の切手等をワインボトルに利用した場合の全体像の図である。
【発明を実施するための形態】
［前撮り遺影写真プラン］
【実施例】  ［パンフレットに記載］
【産業上の利用可能性】  ［葬祭場  プロカメラマン    ］
【符号の説明】１  台紙（第１面）
２  台紙（第２面）
３  台紙（第３面）
４  台紙（第４面）
５  台紙（第５面）
６  中枠
７  写真（遺影等）
８  額縁本体
１０  額縁に予め付属されている写真を固定するためのヒンジ状のものである。
１１  写真を保護するガラス等
１２  コード埋め込んだ切手およびシール
１８  コード埋め込み範囲
２０  コード埋め込みの始点マーク
２１  コート埋め込みの折り返しマーク
２２  コード埋め込みの折り返し終点マーク
２３  コード埋め込みの折り返しマーク
２４  ワインボトル等
【図１】
2020185783.tif 000003
【図２】
2020185783.tif 000004
【図３（ａ）】
2020185783.tif 000005
【図３（ｂ）】
2020185783.tif 000006
【図４（ａ）】
2020185783.tif 000007
【図４（ｂ）】
2020185783.tif 000008
【図５（ａ）】
2020185783.tif 000009
【図５（ｂ）】
2020185783.tif 000010
【図６】
2020185783.tif 000011
【図７】
2020185783.tif 000012